(57)【特許請求の範囲】
【請求項１】
本体ケースの少なくとも２つの面に設けられた各スイッチを構成するためのメンブレンスイッチを備える光学式読取装置であって、
前記メンブレンスイッチは、
前記２つの面の一方の面に取り付けられ、該面にて、各種の入力をするためのキーを形成する第１メンブレンスイッチシートと、
前記２つの面の他方の面に取り付けられ、該面にて、本体ケース内部の読取部に読取トリガー信号を出力するための読取スイッチを形成する第２メンブレンスイッチシートと、
前記第１メンブレンスイッチシートと前記第２メンブレンスイッチシートとを一体に接続し、両メンブレンスイッチシート間に信号ラインを渡す渡り用シートと、
前記メンブレンスイッチシートのいずれかに一体に設けられ、全メンブレンスイッチシートの信号ラインを集合させて該信号ラインのコネクタ部を形成するコネクタシートと、
を備え、
前記本体ケースは、上下２つのケース部材から構成されていると共に、その上ケース部材の側面内側には、前記第２メンブレンスイッチシートを取り付けるための専用取付部材が立設されており、
前記上ケース部材の上面に前記第１メンブレンスイッチシートを配置し、前記専用取付部材に前記第２メンブレンスイッチシートを取り付けることによって前記上ケース部材の側面に前記第２メンブレンスイッチシートを配置したことを特徴とする光学式読取装置。
【請求項２】
前記第２メンブレンスイッチシートを押圧操作するために用いられ、前記第２メンブレンスイッチシートと共に前記専用取付部材に取り付けられる操作部材を有しており、
前記専用取付部材は、前記操作部材を介して押圧された前記第２メンブレンスイッチシートの前記押圧方向への移動を規制する規制壁部と、当該規制壁部の両側に設けられ、前記第２メンブレンスイッチシート及び前記操作部材を挟持する挟持壁部とを有していることを特徴とする請求項１記載の光学式読取装置。
【発明の詳細な説明】
【０００１】
【発明の属する技術分野】
本発明は、光学式読取装置の本体ケースの少なくとも２つの面に設けられた各スイッチを構成するためのメンブレンスイッチ、およびそのメンブレンスイッチを備えた光学式読取装置に関する。
【０００２】
【従来の技術】
従来、光学式読取装置、例えば、図１０（ａ）に示すごとくのバーコードリーダハンディターミナル２００では、商品管理上のデータを入力するためのキー２０２がハンディターミナル本体ケース２０４の上面２０４ａ（下面の場合もある）に設けられ、バーコードの読取トリガーとなる読取スイッチ２０６がハンディターミナル本体ケース２０４の側面２０４ｂに形成されているものが存在した。
【０００３】
上面２０４ａに設けられたキー２０２は、図１０（ｂ）に示すごとく、通常、メンブレンスイッチ２０８（例えば、特開昭５９−７１２２６号公報記載の薄膜スイッチ等）を上面２０４ａに貼着し、このメンブレンスイッチ２０８の信号ラインを集合させているコネクタ部を形成するコネクタシート２１１を、上面２０４ａに設けられたスリット状の貫通孔２１０を貫通させてハンディターミナル本体ケース２０４内部に導いて、内部の基板（硬質基板）２１２のコネクタ２１４に接続していた。貫通孔２１０は後でシートやテープ等を貼着することにより塞ぐ。なお、図１０（ｂ）はハンディターミナル本体ケース２０４を上ケース部材２００ａと下ケース部材２００ｂとに分解して示している。
【０００４】
また、読取スイッチ２０６は、基板（硬質基板）２１６上に設けられているので、下ケース部材２００ｂの内部から、側面２０４ｂに設けられた深い切欠２１８を塞ぐように機械的に基板２１６を取り付け、その切欠２１８を通して、基板２１６上の読取スイッチ２０６をハンディターミナル本体ケース２０４外部に突出させている。
【０００５】
このようにハンディターミナル本体ケース２０４の比較的広い上面２０４ａ（あるいは下面）に設けられたキー２０２は、液晶ディスプレイ２２０に表示されたデータを観察しながら、商品の入出庫数等を入力するのに便利であり、また、ハンディターミナル本体ケース２０４の側面２０４ｂに設けられた読取スイッチ２０６は、バーコードリーダハンディターミナル２００の把持部２２２を握ってバーコードの読取り作業をする場合に、握った手の人差し指が触れることにより、バーコードリーダハンディターミナル２００に読取り動作をさせることができるので、効率的にバーコードの読取り作業を行うことができる。
【０００６】
【発明が解決しようとする課題】
しかし、このように、キー２０２と読取スイッチ２０６との２つの入力操作部が異なる面に設けられているために、それぞれの部品が必要となり、部品点数が多く複雑となり、製造上のコスト高が問題となっていた。
【０００７】
また、読取スイッチ２０６は、側面２０４ｂに機械的に、例えば、基板２１６の裏側から、基板２１６の固定用部材（図示していない）を押し当てて、この固定用部材をネジ止めしたり、上ケース部材２００ａと下ケース部材２００ｂとで挟み込むことにより、基板２１６を固定していた。
【０００８】
しかし、このような固定方法では、基板２１６を下ケース部材２００ｂの内側に貼り付けることはできないので、十分な水密性が得られず、例えば、読取スイッチ２０６を押圧する操作者の手が濡れていた場合には、基板２１６と下ケース部材２００ｂとの隙間から、ハンディターミナル本体ケース２０４の内部に水が侵入して、内部の電子回路を故障させてしまうというおそれもあった。
【０００９】
本発明は、部品点数を少なくし、更に水密的にできる光学式読取装置用のスイッチやキー構成を提供することを目的とする。
【００１０】
【課題を解決するための手段及び発明の効果】
ここには、１つまたはそれ以上の発明が記載され、それぞれ以下に述べるような構成および効果を有する。
本発明の光学式読取装置は、本体ケースの少なくとも２つの面に設けられた各スイッチを構成するためのメンブレンスイッチを備えており、メンブレンスイッチは、前記２つの面の一方の面に取り付けられ、該面にて、各種の入力をするためのキーを形成する第１メンブレンスイッチシートと、前記２つの面の他方の面に取り付けられ、該面にて、本体ケース内部の読取部に読取トリガー信号を出力するための読取スイッチを形成する第２メンブレンスイッチシートと、前記第１メンブレンスイッチシートと前記第２メンブレンスイッチシートとを一体に接続し、スイッチシート間に信号ラインを渡す渡り用シートと、前記スイッチシートのいずれかに一体に設けられ、全スイッチシートの信号ラインを集合させて該信号ラインのコネクタ部を形成するコネクタシートと、を備えている。そして、前記本体ケースは、上下２つのケース部材から構成されていると共に、その上ケース部材の側面内側には、前記第２メンブレンスイッチシートを取り付けるための専用取付部材が立設されている。そして、前記上ケース部材の上面に前記第１メンブレンスイッチシートを配置し、前記専用取付部材に前記第２メンブレンスイッチシートを取り付けることによって前記上ケース部材の側面に前記第２メンブレンスイッチシートを配置した。
【００１１】
従来の読取スイッチ２０６（図１０参照）の代わりに用いられている第２メンブレンスイッチシートは、メンブレンスイッチにて構成されているとともに、従来のキー２０２の代わりに用いられている第１メンブレンスイッチシートとは、渡り用シートにより、一体に接続されている。このため従来のごとくの読取スイッチ２０６とキー２０２とが別体に構成されていないので、部品は１つのメンブレンスイッチで済む。
【００１２】
また、渡り用シートは両メンブレンスイッチシート間に信号ラインを渡していることにより、いずれかのメンブレンスイッチシートと一体に設けられているコネクタシートに、全メンブレンスイッチシートの信号ラインを集合させることができる。このことにより、単に渡り用シートで２つのスイッチシートが一つの部品になっていることのみでなく、信号処理のための光学式読取装置内部の基板に対しても１つのコネクタシートで接続ができ、コネクタシートと基板とを接続するためのコネクタが削減できコストダウンとなるとともに、組み立て作業も効率的となる。
【００１３】
また、従来の読取スイッチ２０６の代わりに用いられている第２メンブレンスイッチシートもメンブレンスイッチであることから、本体ケースに貼着されるので、水密性も十分となる。
なお、渡り用シートが、第１メンブレンスイッチシートの一辺から突出する状態で設けられるとともに、該一辺から渡り用シートの突出方向と同方向に、コネクタシートが突出する状態で設けられていても良い。このように第１メンブレンスイッチシートに対して同方向に第２メンブレンスイッチシートとコネクタシートとが存在するように構成すれば、メンブレンスイッチ全体として、比較的短い形状となり、メンブレンスイッチ全体を、一枚のシートを打ち抜いて形成する場合には、シート材が無駄になりにくい。また、メンブレンスイッチを本体ケースに組み付ける場合も、第１メンブレンスイッチシートに対して、同じ側にて、第２メンブレンスイッチシートの本体ケースへの取り付けと、コネクタシートの基板側への取り付けとができることになり、組み付け作業が効率的である。
【００１４】
メンブレンスイッチシートは、２つに限らず、３つ以上でも良い。３つ以上の場合も、単数または複数の第３メンブレンスイッチシートが、それぞれ渡り用シートにより、第１メンブレンスイッチシートまたは第２メンブレンスイッチシートに接続され、コネクタシートは、第１メンブレンスイッチシート、第２メンブレンスイッチシートおよび第３メンブレンスイッチシートのすべての信号ラインのコネクタ部として形成されることにより、前述した部品点数の減少や水密性の効果を生じさせることができる。
【００１５】
この場合も、第２メンブレンスイッチシートおよび第３メンブレンスイッチシートの全てが、それぞれ渡り用シートを介して第１メンブレンスイッチシートの同一辺から突出する状態で設けられていれば、上述したごとく材料の無駄がなくなることと、組み付け作業性が向上する。
【００１６】
また、第３メンブレンスイッチシートは、第２メンブレンスイッチシートから突出する状態で設ける場合には、第２メンブレンスイッチシートの辺の内、第１メンブレンスイッチシートとは反対側の辺から、渡り用シートを介して第１メンブレンスイッチシートとは反対側に突出する状態で設けるようにしても良いし、また、第２メンブレンスイッチシートの辺の内、第１メンブレンスイッチシートに向かっている辺から、渡り用シートを介して第１メンブレンスイッチシート側に突出する状態で設けるようにしても良い。このような突出位置・方向は、スイッチの配置、本体ケース内の基板の配置、シート材料の節約、あるいは組み付け作業の容易さ等の観点から、適切な位置・方向を選択すれば良い。
【００１７】
なお、全ての前記シート（メンブレンスイッチシート、渡り用シートおよびコネクタシート）を一体のものとして光学式読取装置用メンブレンスイッチを形成するには、例えば、打ち抜きにより形成した一枚の基材シートに対して部分シートを積層することによりなすことができる。
【００１８】
また、本発明においては、上述のように、上下２つのケース部材から構成される本体ケースを前提とし、上ケース部材の側面内側に第２メンブレンスイッチシートを取り付けるための専用取付部材を立設し、その専用取付部材に第２メンブレンスイッチシートを取り付けることによって上ケース部材の側面に第２メンブレンスイッチシートを配置されている。
【００１９】
そのため、上下２つのケース部材に分割されていても、第１及び第２メンブレンスイッチシートを共に上ケース部材に配置することができるため、組み付け性が向上する。つまり、第１メンブレンスイッチシートが上ケース部材に配置され、第２メンブレンスイッチシートは下ケース部材に配置されている状態を想定すると、上下ケース部材いずれか片方に取り付けられる基板との間を接続するための接続線が必要となる。この場合、ケース内部への部品の組み付け作業などを考慮すると、その接続線は必然的に長いものとなる。そして、上下ケース部材間に接続線が存在すること自体、組み付け性を悪くする要因となる。それに対して、第１及び第２メンブレンスイッチシートを共に上ケース部材に配置すれば、上述した長い接続線が不要となり、このように上下ケース部材間の接続線が存在しないこと自体が組み付け性向上の要因となる。
【００２０】
そして、この場合には、上ケース部材の側面内側に立設した専用取付部材に第２メンブレンスイッチシートを取り付けているが、これは次の理由からである。つまり、図８に例示するように上下２つのケース部材１２８，１３０に分割する場合には、利用者の握り易さの観点から下ケース部材１３０側の外周を曲線状に形成することが考えられるが、このように曲線状に形成するためには下ケース部材１３０の厚みＴｂがある程度大きくなる。しかし、上下ケース部材のトータルでの厚みは握り易さの観点などから制限され、上ケース部材１２８の厚みＴａは必然的に小さくなってしまう。そのため、図９（ａ）に示すように、上ケース部材１２８の側面１２８ａであっても読取スイッチ１１６を直接組み付ける場合には、読取スイッチ１１６の一部分しか側面１２８ａに当接せず、組み付けにくく、また組み付け後の安定性の面でも不十分となり易い。
【００２１】
したがって、例えば図７に示すように、上ケース部材１２８の側面１２８ａ内側に立設した専用取付部材１５０に第２メンブレンスイッチシート１２４を取り付ける構成を採用した場合には、この専用取付部材１５０の大きさは側面１２８ａの幅には制限されず、第２メンブレンスイッチシート１５０を取り付けるのに十分な大きさを確保することができる。これにより、幅が制限される上ケース部材側面１２８ａに読取スイッチを配置することができるのである。
【００２２】
なお、実際の利用の便宜を考えると、第２メンブレンスイッチシートは上ケース部材の側面に配置されるため、その第２メンブレンスイッチシートを押圧操作するための操作部材があると好ましい。したがって、次のような構成を採用してもよい。すなわち、第２メンブレンスイッチシートを押圧操作するために用いられ、第２メンブレンスイッチシートと共に専用取付部材に取り付けられる操作部材を有し、専用取付部材は、操作部材を介して押圧された第２メンブレンスイッチシートの押圧方向への移動を規制する規制壁部と、規制壁部の両側に設けられ、第２メンブレンスイッチシート及び操作部材を挟持する挟持壁部とを有する構成にする。
【００２３】
このようにすれば、利用者が操作部材を介して第２メンブレンスイッチシートを押圧操作した場合に、専用取付部材の規制壁部が第２メンブレンスイッチシートの押圧方向への移動を規制するため、第２メンブレンスイッチシートにおける適切なスイッチ動作が実現される。また、規制壁部の両側に設けられた挟持壁部が第２メンブレンスイッチシート及び操作部材を挟持するので、これらを上ケース部材の側面に好適に配置することができる。
【００２４】
【発明の実施の形態】
［実施の形態１］
図１は、上述した発明のいくつかが適用されたバーコードリーダハンディターミナル２の概略構成を表す斜視図であり、図２は分解斜視図である。
【００２５】
バーコードリーダハンディターミナル２は頭部４と把持部６とからなり、頭部４には液晶表示部８が設けられ、把持部６には、その上面１０に各種入力のための汎用のキー１２が多数配置され、その側面１４には読取スイッチ１６が配置されている。
【００２６】
キー１２は、図２に示すごとく、キー１２の配列を印刷した接着シート１８に覆われた矩形の第１メンブレンスイッチシート２０を備えている。読取スイッチ１６は、接着シート２２に覆われた矩形の第２メンブレンスイッチシート２４を備えている。
【００２７】
第１メンブレンスイッチシート２０は、バーコードリーダハンディターミナル２の本体ケース２６を構成している上ケース部材２８の把持部６側の上面１０に貼着されている。第２メンブレンスイッチシート２４は、バーコードリーダハンディターミナル２の本体ケース２６を構成している下ケース部材３０の頭部４とほぼ接する把持部６側の側面１４ａに貼着されている。
【００２８】
第１メンブレンスイッチシート２０および第２メンブレンスイッチシート２４は、図３（ａ）の平面図に示すごとく、渡り用シート３２を介して接続されて一体の光学式読取装置用メンブレンスイッチ３３として構成されている。また、渡り用シート３２が突出している第１メンブレンスイッチシート２０の一辺２０ａからはコネクタシート３４が、渡り用シート３２とは同方向に突出している。
【００２９】
渡り用シート３２は、第１メンブレンスイッチシート２０と第２メンブレンスイッチシート２４との間の信号ライン３６を相互に接続している。またコネクタシート３４は、第１メンブレンスイッチシート２０および渡り用シート３２を介して第２メンブレンスイッチシート２４の信号ライン３７を集合させて、外部の基板、ここでは、バーコードリーダハンディターミナル２内部の基板３８に接続し、キー１２や読取スイッチ１６の押圧操作を信号として基板３８側に出力している。
【００３０】
光学式読取装置用メンブレンスイッチ３３は、図３（ｂ）の分解斜視図に示すごとく、基材シート４０、スペーサ用シート４２，４４および接点用シート４６，４８から構成されている。基材シート４０は、プラスチックシート材料を打ち抜き加工により、第１メンブレンスイッチシート部分４０ａ、第２メンブレンスイッチシート部分４０ｂ、渡り用シート３２およびコネクタシート３４を一体に形成したものである。なお基材シート４０上のラインパターンは一部省略および簡略化して示している。
【００３１】
第１メンブレンスイッチシート２０は、基材シート４０の第１メンブレンスイッチシート部分４０ａに対して、スペーサ用シート４２および接点用シート４６を積層することにより形成されている。第２メンブレンスイッチシート２４は、基材シート４０の第２メンブレンスイッチシート部分４０ｂに対して、スペーサ用シート４４および接点用シート４８を積層することにより形成されてる。
【００３２】
これら第１メンブレンスイッチシート２０および第２メンブレンスイッチシート２４の断面構造を、図３（ａ）におけるＸ−Ｘでの模式的断面図である図４に示す。
スペーサ用シート４２，４４はそれぞれ、第１メンブレンスイッチシート部分４０ａの端子５０ａ，５０ｂおよび第２メンブレンスイッチシート部分４０ｂの端子５２ａ，５２ｂの位置に対応して、それぞれ貫通孔４２ａ，４４ａを有している。
【００３３】
また、貫通孔４２ａ，４４ａに対応する、接点用シート４６，４８上の位置には、接点４６ａ，４８ａが導電性塗料にて形成されている。
接点用シート４６，４８に押圧力を与えなければ、スペーサ用シート４２，４４により離間されているので、接点４６ａ，４８ａは端子５０ａ，５０ｂあるいは端子５２ａ，５２ｂに接触することはなく、端子５０ａ，５０ｂ同士あるいは端子５２ａ，５２ｂ同士が短絡されることはなく、オフ状態に維持される。
【００３４】
指等でキー１２または読取スイッチ１６を押圧すると、接点用シート４６，４８の接点４６ａ，４８ａは端子５０ａ，５０ｂあるいは端子５２ａ，５２ｂに接触して、端子５０ａ，５０ｂまたは端子５２ａ，５２ｂ同士を短絡させ、オンとなる。押圧がなくなれば、端子５０ａ，５０ｂまたは端子５２ａ，５２ｂ同士の短絡が解消して、オフに戻る。このオン／オフ操作は、信号ライン３６，３７を介して、電圧信号として基板３８側に伝達される。
【００３５】
接点用シート４６が端子５０ａ，５０ｂ同士を短絡させることにより、各種の入力が可能となり、また接点用シート４８が端子５２ａ，５２ｂ同士を短絡させることにより、バーコードリーダハンディターミナル２にバーコードの読取処理を開始させることができる。
【００３６】
このように形成された光学式読取装置用メンブレンスイッチ３３を本体ケース２６に取り付けるには次のように行う。
すなわち、図２に示すごとく、上ケース部材２８の上面１０に設けられたスリット状貫通孔１０ａから上ケース部材２８の下側へ第２メンブレンスイッチシート２４、渡り用シート３２およびコネクタシート３４を挿入した状態で、第１メンブレンスイッチシート２０を上ケース部材２８の上面１０に接着剤等で貼着する。
【００３７】
そして、下ケース部材３０の側面１４ａに、渡り用シート３２の厚みよりわずかに深く切り欠かれた状態で設けられた切欠部１４ｂに、渡り用シート３２を配置し、第２メンブレンスイッチシート２４のみを下ケース部材３０の外に出して、第２メンブレンスイッチシート２４を側面１４ａに接着剤等で貼着する。なお、この貼着部分における側面１４ａ部分は、その内側部分１４ｃがブロック状に厚く形成され、外部からの押圧力に耐えるようにされている。
【００３８】
また、コネクタシート３４は、先端にコネクタ部材（補強シート）５４を取り付けて、下ケース部材３０の内部に据え付けられる基板３８のコネクタ部分に接続する。
次に、第１メンブレンスイッチシート２０とスリット状貫通孔１０ａとの両者を接着シート１８にて覆うようにして、接着シート１８を上ケース部材２８の上面１０に接着する。このことにより、スリット状貫通孔１０ａが水密状に密封される。また、接着シート１８の表側には、接点用シート４６の各接点４６ａ位置に適合させて、各キー１２を示す印刷がなされている。
【００３９】
次に、上ケース部材２８と下ケース部材３０とを接合し、次いで、第２メンブレンスイッチシート２４と切欠部１４ｂとの両者を接着シート２２にて覆うようにして、接着シート２２を下ケース部材３０の側面１４ａに接着する。このことにより、切欠部１４ｂが水密状に密封される。また、接着シート２２の表側には、接点用シート４８の接点４８ａ位置に適合させて、読取スイッチ１６を示す色または図形の印刷がなされている。
【００４０】
このようにして、図１に示したバーコードリーダハンディターミナル２が形成される。なお、本体ケース２６内には、バーコードの照明用ＬＥＤや画像読取用のＣＣＤ、その他の構成が配置されているが、本発明のポイントではないので、図示は省略してある。
【００４１】
本実施の形態１は、上述のごとく、本体ケース２６内部の読取部（図示していない）に読取トリガー信号を出力するための読取スイッチ１６を形成する第２メンブレンスイッチシート２４は、各種の入力をするためのキー１２を形成する第１メンブレンスイッチシート２０とは、渡り用シート３２により、一体に接続されている。このため従来のごとくの読取スイッチとキーとが別体に構成されていないので、部品は１つで済む。
【００４２】
また、渡り用シート３２はメンブレンスイッチシート２０，２４間に信号ライン３６を渡していることにより、第１メンブレンスイッチシート２０と一体に設けられているコネクタシート３４に、２つのメンブレンスイッチシート２０，２４の信号ライン３７を集合させることができる。
【００４３】
このことにより、単に渡り用シート３２で２つのメンブレンスイッチシート２０，２４が一つの部品になっていることのみでなく、信号処理のための内部の基板３８に対しても１つのコネクタシート３４で信号ライン３７の接続が共通化でき、組み立て作業も効率的となる。また、コネクタシート３４先端に取り付けるコネクタ部材（補強シート）５４や、基板３８側のコネクタも削減でき、コストダウンとなる。
【００４４】
また、第２メンブレンスイッチシート２４も、第１メンブレンスイッチシート２０と同じく、メンブレンスイッチであるため、本体ケース２６の水密性が十分となる。更に、従来、必要であった固定用部材が不用となる。
なお、渡り用シート３２が、第１メンブレンスイッチシート２０の一辺２０ａから突出する状態で設けられるとともに、この一辺２０ａから渡り用シート３２の突出方向と同方向に、コネクタシート３４が突出する状態で設けられている。すなわち、第１メンブレンスイッチシート２０に対して同方向に第２メンブレンスイッチシート２４とコネクタシート３４とが存在するように構成されているので、それぞれが逆に突出しているよりも、光学式読取装置用メンブレンスイッチ３３全体として、短い形状となり、光学式読取装置用メンブレンスイッチ３３全体を、一枚のシートを打ち抜いて形成する場合に、シート材が無駄になりにくい。また、光学式読取装置用メンブレンスイッチ３３を本体ケース２６に組み付ける場合も、第１メンブレンスイッチシート２０に対して同じ側で、第２メンブレンスイッチシート２４の取り付け作業と、コネクタシート３４の基板３８側への取り付け作業とができ、組み付け作業が効率的である。
【００４５】
［実施の形態２］
図５に光学式読取装置用メンブレンスイッチの他の構成例を示す。
図５（ａ）に示した光学式読取装置用メンブレンスイッチ６０は、第１メンブレンスイッチシート６２の一辺６２ａから、第２メンブレンスイッチシート６４が渡り用シート６５を介して突出し、第３メンブレンスイッチシート６６が渡り用シート６７を介して突出し、更にコネクタシート６８が突出している。
【００４６】
このようにメンブレンスイッチシートが増加しても、第１メンブレンスイッチシート６２の同一辺６２ａから突出するように配置すれば、実施の形態１にて述べた効果、特にシート材料の節約および組み付け作業性の効率化がより顕著となる。
【００４７】
また、図５（ｂ）に示した光学式読取装置用メンブレンスイッチ８０は、第１メンブレンスイッチシート８２の一辺８２ａから、第２メンブレンスイッチシート８４が渡り用シート８５を介して突出し、更にコネクタシート８８が突出している点については、実施の形態１と同じであるが、第３メンブレンスイッチシート８６は渡り用シート８７を介して第２メンブレンスイッチシート８４から突出している点が異なる。
【００４８】
このように配置することにより、各メンブレンスイッチシート８２，８４，８６の配置、本体ケース２６内の基板３８の配置、シート材料の節約、あるいは組み付け作業の容易さの観点から、適切な方向を選択することができる。
［実施の形態３］
図６は、光学式読取装置用メンブレンスイッチの他の配置構成を採用したバーコードリーダハンディターミナル１０２の分解斜視図である。なお、図１，２に示す実施の形態１の場合のバーコードリーダハンディターミナル２の構成と同じ部分には同じ符号を付して詳しい説明は省略する。
【００４９】
図２に示す実施形態１のバーコードリーダハンディターミナル２の場合には、上ケース部材２８の把持部６側の上面１０に第１メンブレンスイッチシート２０が貼着され、下ケース部材３０の頭部４とほぼ接する把持部６側の側面１４ａに第２メンブレンスイッチシート２４が貼着されていた。それに対して、図６に示すバーコードリーダハンディターミナル１０２の場合には、第１メンブレンスイッチシート２０及び第２メンブレンスイッチシート１２４（図７参照）が共に上ケース部材１２８側に配置されている。この点を具体的に説明する。
【００５０】
まず、第１メンブレンスイッチシート２０については、図１のバーコードリーダハンディターミナル２の場合と同様に、上ケース部材１２８の把持部６側の上面１０に貼着されている。
一方、第２メンブレンスイッチシート１２４は、図７（ｂ）に示すように操作部材１１８の凹部１１８ｃ内にはめ込まれ、その操作部材１１８ごと専用取付部材１５０に取り付けられる。この操作部材１１８は、例えばゴムなどで形成されており、図７（ａ），（ｂ）に示すように、略直方体の操作用突部１１８ａと、その操作用突部１１８ａの周囲に設けられた鍔部１１８ｂと、鍔部１１８ｂを挟んで操作用突部１１８ａとは反対側に設けられた上記凹部１１８ｃとを備えている。
【００５１】
そして、第２メンブレンスイッチシート１２４が凹部１１８ｃ内にはめ込まれた操作部材１１８を取り付けるための専用取付部材１５０は、図７（ａ）に示すように、上ケース部材１２８の側面１２８ａの内側に立設されている。具体的には、操作部材１１８を介して押圧された第２メンブレンスイッチシート１２４の押圧方向への移動を規制する規制壁部１５０ａと、その規制壁部１５０ａの両側に設けられ、第２メンブレンスイッチシート１２４が凹部内にはめ込まれた状態の操作部材１１８を挟持する挟持壁部１５０ｂとを備えている。そして、これら規制壁部１５０ａ及び挟持壁部１５０ｂは、上ケース部材１２８の側面１２８ａに設けられた切欠１２８ｂを囲むように配設されている。
【００５２】
前記操作部材１１８および第２メンブレンスイッチシート１２４を専用取付部材１５０に組み付ける場合には、第２メンブレンスイッチシート１２４がはめ込まれた状態の操作部材１１８を、上ケース部材１２８の側面１２８ａ、専用取付部材１５０の規制壁部１５０ａ及び挟持壁部１５０ｂとで囲まれる部分に差し入れる。詳しくは、操作用突部１１８ａが上ケース部材１２８の切欠１２８ｂに当接するまで差し入れる。この状態では、挟持壁部１５０ｂが両側から操作部材１１８を挟持している。また、操作部材１１８の鍔部１１８ｂの一部は上ケース部材１２８の側面１２８ａの内側に当接する。なお、図６に示すように、下ケース部材１３０の側面１３０ａにも切欠１３０ｂが設けられている。そして、上下ケース部材１２８，１３０を閉じた場合には、操作部材１１８の操作用突部１１８ａがこの下ケース部材１３０の切欠１３０ｂにも当接し、操作部材１１８の鍔部１１８ｂの一部は下ケース部材１３０の側面１３０ａの内側に当接する。したがって、上下ケース部材１２８，１３０の切欠１２８ｂ，１３０ｂから内部へ異物が侵入したりするのを防止できる。上述したようにゴム等で形成して、操作部材１１８の鍔部１１８ｂが上下ケース部材１２８，１３０の側面１２８ａ，１３０ａの内側に密接するようにすれば、水密性の効果を生じさせることもできる。
【００５３】
なお、図６に示すように、第１メンブレンスイッチシート２０は上ケース部材１２８の上面１０に接着剤等で貼着されるが、第２メンブレンスイッチシート１２４は上ケース部材１２８の上面１０に設けられたスリット状貫通孔１０ａから上ケース部材１２８の下側へ挿入され、上述した専用取付部材１５０に取り付けられる。第１メンブレンスイッチシート２０および第２メンブレンスイッチシート１２４は渡り用シート１３２を介して接続されているので、この渡り用シート１３２を通すための切欠１５１が専用取付部材１５０に設けられている。
【００５４】
さらに、上述した図２に示すバーコードリーダハンディターミナル２の場合には、基板３８が下ケース部材３０の内部に据え付けられていたが、図７に示すバーコードリーダハンディターミナル７２の場合には、基板１３８が上ケース部材１２８の内部に据え付けられる。そのため、渡り用シート１３２およびコネクタシート１３４は共に、上ケース部材１２８に取り付けられる構成要素間の接続しかしていない。つまり、図２に示すバーコードリーダハンディターミナル２の場合には、第１メンブレンスイッチシート２０と第２メンブレンスイッチシート２４とを接続する渡り用シート３２および第１メンブレンスイッチシート２０と基板３８とを接続するコネクタシート３４が上ケース部材２８と下ケース部材３０とを接続する構成となっていたのに対して、図６に示すバーコードリーダハンディターミナル７２の場合には、上下ケース部材１２８，１３０間を接続しなくてもよい。
【００５５】
また、本実施形態３のバーコードリーダハンディターミナル１０２においては、電源としての電池を、下ケース部材１３０に設けた電池収納部１３５内に収納するように構成してある。そして、上ケース部材１２８の内部に据え付けられた基板１３８の下部に電池接続用端子１３９を設けると共に、下ケース部材１３０の電池収納部１３５の上部に電池接続用端子用穴１３６を設けてある。したがって、上下ケース部材１２８，１３０を閉じると、基板１３８下部の電池接続用端子１３９が下ケース部材１３０の電池収納部１３５上部の電池接続用端子用穴１３６を貫通し、電池収納部１３５内に収納した電池から電源を取り出すことができるようにされている。
【００５６】
このようにすれば、上下２つのケース部材１２８，１３０に分割されていても、第１メンブレンスイッチシート２０及び第２メンブレンスイッチシート１２４を共に上ケース部材１２８に配置することができるため、組み付け性が向上する。つまり、第１メンブレンスイッチシート２０が上ケース部材１２８に配置され、第２メンブレンスイッチシート１２４は下ケース部材１３０に配置されている状態を想定すると、上下ケース部材１２８，１３０いずれか片方に取り付けられる基板１３８との間を接続するためのケーブル的な部材が必要となる。この場合、ケース本体１２６内部への部品の組み付け作業などを考慮すると、その接続ケーブルは必然的に長いものとなる。そして、上下ケース部材１２８，１３０間を接続するケーブルが存在すること自体、組み付け性を悪くする要因となる。それに対して、図６に示した本実施形態の構成の場合には、第１，第２メンブレンスイッチシート２０，１２４を共に上ケース部材１２８に配置でき、上述した長い接続ケーブルが不要となり、上下ケース部材１２８，１３０間を接続するケーブルが存在しないこと自体が組み付け性向上の要因となる。
【００５７】
そして、この場合には、上ケース部材１２８の側面１２８ａ内側に立設した専用取付部材１５０に第２メンブレンスイッチシート１２４を取り付けている（詳しくは、第２メンブレンスイッチシート１２４がはめ込まれた状態の操作部材１１８を専用取付部材１５０に取り付けている）が、これは次の理由からである。つまり、図８に例示するように上下２つのケース部材１２８，１３０に分割する場合には、利用者の握り易さの観点から下ケース部材１３０側の外周を曲線状に形成することが考えられるが、このように曲線状に形成するためには下ケース部材１３０の厚みＴｂがある程度大きくなる。しかし、上下ケース部材のトータルでの厚みは握り易さの観点などから制限され、上ケース部材１２８の厚みＴａは必然的に小さくなってしまう。そのため、図９（ａ）に示すように、上ケース部材１２８の側面１２８ａに読取スイッチ１１６を直接組み付ける場合には、読取スイッチ１１６の一部分しか側面１２８ａに当接せず、組み付けにくく、また組み付け後の安定性の面でも不十分となり易い。
【００５８】
したがって、例えば図７に示すように、上ケース部材１２８の側面１２８ａ内側に立設した専用取付部材１５０に第２メンブレンスイッチシート１２４を取り付ける構成を採用した場合には、この専用取付部材１５０の大きさは側面１２８ａの幅には制限されず、第２メンブレンスイッチシート１２４を取り付けるのに十分な大きさを確保することができる。これにより、幅が制限される上ケース部材１２８の側面１２８ａに読取スイッチ１１６を配置することができ、さらに、利用者が操作部材１１８を介して第２メンブレンスイッチシート１２４を押圧操作した場合に、専用取付部材１５０の規制壁部１５０ａが第２メンブレンスイッチシート１２４の押圧方向への移動を規制するため、第２メンブレンスイッチシート１２４における適切なスイッチ動作を実現できる。
【００５９】
なお、下ケース部材１３０以外に組み付ける方法としては、例えば、図９（ｂ）に示すように基板に取り付ける方法も考えられる。しかし、この場合には、２枚の基板１６１，１６２によって分割された２つの樹脂性ホルダ１７１，１７２を挟持し、その樹脂性ホルダ１７１，１７２によって読取スイッチ１１６を保持するような構成である。したがって、基板１６１，１６２が２枚必要である点、樹脂性ホルダ１７１，１７２も２つ必要である点などから、全体構成の小型化や軽量化が難しい。それに対して、本実施形態３のバーコードリーダハンディターミナル１０２では小型化や軽量化も図れるため、その点でも好ましい。
【００６０】
［その他］
前述した各実施の形態においては、メンブレンスイッチシートは、２つまたは３つであったが、４つ以上でも良い。４つ以上の場合も、各メンブレンスイッチシートが、それぞれ渡り用シートにより、他のメンブレンスイッチシートに接続され、コネクタシートは、全てのメンブレンスイッチシートからの信号ラインを集合させてコネクタ部を形成していれば、前述した部品点数の減少や水密性の効果を生じさせることができる。
【００６１】
この場合も、第１メンブレンスイッチシート以外のメンブレンスイッチシートの全てが、それぞれ渡り用シートを介して第１メンブレンスイッチシートの同一辺から突出する状態で設けられていれば、上述したごとくシート材料の節約と、組み付け作業性の向上も達成される。
また、図５（ｂ）において、第３メンブレンスイッチシート８６は、第２メンブレンスイッチシート８４の辺の内、第１メンブレンスイッチシート８２側とは反対側の辺８４ａから突出していたが、逆に第１メンブレンスイッチシート８２側に向かっている辺８４ｂから、渡り用シート８７を介して第１メンブレンスイッチシート８２側に突出する状態で設けるようにしても良い。メンブレンスイッチシートの配置、本体ケース２６内の基板の配置、シート材料の節約、あるいは組み付け作業の容易さの観点から、適切な方向を選択すれば良い。
【００６２】
実施の形態１では、コネクタシート３４は第１メンブレンスイッチシート２０から突出していたが、第２メンブレンスイッチシート２４から突出させても良い。また、実施の形態２の図５（ａ）においても、コネクタシート６８は第２メンブレンスイッチシート６４から突出させても良いし、第３メンブレンスイッチシート６６から突出させても良い。図５（ｂ）においても、コネクタシート８８は、第２メンブレンスイッチシート８４から突出させても良いし、第３メンブレンスイッチシート８６から突出させても良い。
【００６３】
実施の形態１にて、渡り用シート３２を配置する切欠部１４ｂは下ケース部材３０側に設けたが、下ケース部材３０側には設けずに、上ケース部材２８側で、対向する位置に設けても良い。また、上ケース部材２８と下ケース部材３０との両方に設けても良い。
【００６４】
また、図２に示す実施の形態１では、第２メンブレンスイッチシート２４と切欠部１４ｂとの両者を接着シート２２にて覆うようにして、接着シート２２を下ケース部材３０の側面１４ａに接着することによって読取スイッチ１６を構成しており、一方、図６，７に示す実施の形態３では、第２メンブレンスイッチシート１２４を操作部材１１８にはめ込んで読取スイッチ１１６を構成した。当然ながら、実施の形態１においても、接着シート２２の代わりに実施の形態３における操作部材１１８のようなものを用いても構わない。
【図面の簡単な説明】
【図１】  実施の形態１としてのバーコードリーダハンディターミナルの概略構成を表す斜視図である。
【図２】  実施の形態１としてのバーコードリーダハンディターミナルの分解斜視図である。
【図３】  実施の形態１としての光学式読取装置用メンブレンスイッチの構成説明図であり、（ａ）は平面図、（ｂ）は分解斜視図である。
【図４】  図３（ａ）における模式的に示したＸ−Ｘ断面図である。
【図５】  実施の形態２としての光学式読取装置用メンブレンスイッチの２例の構成説明図である。
【図６】  実施の形態３としてのバーコードリーダハンディターミナルの分解斜視図である。
【図７】  実施の形態３のバーコードリーダハンディターミナルにおける読取スイッチ部分の配置構成を示す分解斜視図である。
【図８】  上下２つのケース部材に分割する場合に、利用者の握り易さの観点から所望される形状を示すための概略斜視図である。
【図９】  （ａ）は読取スイッチを上ケース部材に直接配設する場合の概略斜視図、（ｂ）は読取スイッチを基板に配設する場合の概略斜視図である。
【図１０】  従来例のバーコードリーダハンディターミナルの構成説明図である。
【符号の説明】
２，７２…バーコードリーダハンディターミナル
４…頭部                  ６…把持部                ８…液晶表示部
１０…上面              １０ａ…スリット状貫通孔  １２…キー
１４…バーコードリーダハンディターミナルの側面
１４ａ…把持部の側面    １４ｂ…切欠部
１６，１１６…読取スイッチ１８，２２…接着シート
２０，６２，８２…第１メンブレンスイッチシート
２０ａ，６２ａ，８２ａ…一辺
２４，６４，８４，１２４…第２メンブレンスイッチシート
２６，１２６…本体ケース        ２８，１２８…上ケース部材
３０，１３０…下ケース部材
３２，６５，６７，８５，８７，１３２…渡り用シート
３３，６０，８０…光学式読取装置用メンブレンスイッチ
３４，６８，８８，１３４…コネクタシート
３６…信号ライン        ３７…信号ライン      ３８，１３８…基板
４０…基材シート      ４０ａ…第１メンブレンスイッチシート部分
４０ｂ…第２メンブレンスイッチシート部分
４２…スペーサ用シート      ４２ａ，４４ａ…貫通孔
４４…スペーサ用シート      ４６，４８…接点用シート
４６ａ，４８ａ…接点        ５０ａ，５０ｂ，５２ａ，５２ｂ…端子
５４…コネクタ部材（補強シート）
６６，８６…第３メンブレンスイッチシート
１２８ａ…上ケース部材の側面    １２８ｂ…上ケース部材の切欠
１３０ａ…下ケース部材の側面    １３０ｂ…下ケース部材の切欠
１３５…電池収納部                １３６…電池接続用端子用穴
１３９…電池接続用端子            １５０…専用取付部材
１５０ａ…規制壁部              １５０ｂ…挟持壁部
１５１…切欠
【図１】
0003845988.tif 000002
【図２】
0003845988.tif 000003
【図３】
0003845988.tif 000004
【図４】
0003845988.tif 000005
【図５】
0003845988.tif 000006
【図６】
0003845988.tif 000007
【図７】
0003845988.tif 000008
【図８】
0003845988.tif 000009
【図９】
0003845988.tif 000010
【図１０】
0003845988.tif 000011